(57)【要約】【課題】  使用者がそのときの正確な時刻を意識することなく、通常のアナログ時計と同等な感覚で針合わせを可能としたアナログ式電波修正時計を提供すること。【解決手段】  電波修正時計において、竜頭の抜き差し操作を検出するための手段と、竜頭が差し込み状態から引き抜き状態へと変化したことが検出されたことを条件として、針位置時刻を所定時刻に強制修正する手段と、竜頭が引き抜き状態から差し込み状態へと変化したことが検出されたことを条件として、時刻修正用パルス列をステッピングモータに与えて各針を運針させると共に、同時刻修正用パルス列をカウントすることにより、針の現在位置に相当する針位置時刻を生成する動作を、針位置時刻が現在時刻に達するまで継続させる手段と、を設ける。【選択図】      図４
2005134260.tif 000002
【特許請求の範囲】
【請求項１】
時・分の各針を少なくとも有する時計針セットと、
時計針セットを構成する各針を運針させるためのステッピングモータと、
差し込み状態と引き抜き状態とを選択することができ、かつ引き抜き状態においては、回転操作により、時針と分針とを手動で運針可能な竜頭と、
竜頭の抜き差し操作を検出するための検出手段と、
検出手段によって竜頭が差し込み状態にあることが検出されていることを条件として作動され、現在時刻のカウントに同期した計時用パルス列をステッピングモータに与えて各針を運針させると共に、同計時用パルス列をカウントすることにより、針の現在位置に相当する針位置時刻を更新して所定のメモリに記憶させ、さらに電波を介して新たに標準時刻が受信されたときには、現在時刻を標準時刻に修正した後、針位置時刻が現在時刻に合致するように時刻修正用パルス列の出力を調整して針位置を修正する通常運針時の動作制御手段と、
検出手段によって竜頭の差し込み状態から引き抜き状態への変化が検出されることを条件として作動され、ステッピングモータに対するパルス列の供給を停止すると共に、メモリに記憶された針位置時刻を予め定められた初期位置時刻に強制的に変更する針位置時刻強制変更手段と、
検出手段によって竜頭の引き抜き状態から差し込み状態への変化が検出されることを条件として作動され、時刻修正用パルス列をステッピングモータに与えて各針を運針させると共に、同時刻修正用パルス列をカウントすることにより、針の現在位置に相当する針位置時刻を生成する動作を、針位置時刻が現在時刻に達するまで継続させる手動時刻修正時の動作制御手段と、を具備することを特徴とするアナログ式電波修正時計。
【請求項２】
時計針セットには、時・分の各針に加えて、秒針が含まれており、かつ竜頭は、引き抜き状態においては、回転操作により、秒針は静止させたままで、時針と分針のみを手動で運針可能とされている、請求項１に記載のアナログ式電波修正時計。
【請求項３】
予め定められた初期位置時刻が『００時００分００秒』である、請求項１又は２に記載のアナログ式電波修正時計。
【発明の詳細な説明】
【技術分野】
【０００１】
本発明は、時針と分針とを少なくとも有するアナログ式電波修正時計に係り、特に、通常のアナログ時計と同等な感覚で針合わせを可能としたアナログ式電波修正時計に関するものである。
【背景技術】
【０００２】
アナログ式の電波修正時計（例えば、腕時計）は、時・分・秒の各針、又は時・分の各針を有する時計針セットと、時計針セットを構成する各針を回転させるための駆動源として機能するステッピングモータとを有する。時計に内蔵されたマイクロコンピュータ（ＣＰＵ）には、通常運針モードとしての動作プログラムが組み込まれている。この通常運針モードの動作には、通常運針用パルス列をステッピングモータに与えて各針を時刻に合わせて運針させると共に、同通常運針用パルス列をカウントすることにより針の回転位置に相当する針位置時刻データを生成して所定のメモリに記憶させ、さらに標準電波を介して受信された標準時刻データとメモリに記憶された針位置時刻データとに基づいて自動時刻修正を行う動作を含んでいる。このように、電波修正時計においては、自動時刻修正のために、常に針位置時刻データをメモリ内に記憶していなければならない。
【０００３】
ところで、この種の電波修正時計にあっては、メモリ内に記憶された針位置時刻データと、実際の針位置との間に誤差が生じてしまう場合がある。例えば、時計の落下や、他の物体との衝突等により強い衝撃が時計に加えられると、それにより、ステッピングモータの動作と関係なく針が前後に動いてしまう場合がある。無論、このような針の動きは通常運針用パルス列に基づくものではないから、これにより、メモリ内に記憶された針位置時刻データと、実際の針位置との間にズレ（以下、針ズレという）が発生する。
【０００４】
このような電波時計特有の針ズレを補正する方法として、所定のスイッチの押下と同時に標準時刻データを取得すると共に、この取得された標準時刻データを針位置時刻データとしてメモリ内に記憶するようにしたものが知られている。すなわち、使用者が予め正確な時刻を指し示すように針位置を合わせておき、それと同時にスイッチを押下することにより、メモリ内に記憶された針位置時刻データと、実際の針位置との誤差が補正されるものである（例えば特許文献１参照）。
【特許文献１】特開２００３−７５５６０
【発明の開示】
【発明が解決しようとする課題】
【０００５】
しかしながら、上記文献に示される方法では、針の位置合わせを行うに際して、使用者がそのときの正確な時刻情報を知ることが必須となる。したがって、正確な時刻情報が分からないときには、上述のような針ズレの補正が行えないといった不具合があった。
【０００６】
この発明は、上述の問題点に着目してなされたものであり、その目的とするところは、使用者がそのときの正確な時刻を意識することなく、通常のアナログ時計と同等な感覚で針合わせを可能としたアナログ式電波修正時計を提供することにある。
【０００７】
この発明のさらに他の目的乃至作用効果については、以下の明細書の記載を参照することにより、当業者であれば容易に理解されるであろう。
【課題を解決するための手段】
【０００８】
上記問題点を解決するための本発明のアナログ式電波修正時計は、時・分の各針を少なくとも有する時計針セットと、時計針セットを構成する各針を運針させるためのステッピングモータと、差し込み状態と引き抜き状態とを選択することができ、かつ引き抜き状態においては、回転操作により、時針と分針とを手動で運針可能な竜頭と、竜頭の抜き差し操作を検出するための検出手段と、検出手段によって竜頭が差し込み状態にあることが検出されていることを条件として作動され、現在時刻のカウントに同期した計時用パルス列をステッピングモータに与えて各針を運針させると共に、同計時用パルス列をカウントすることにより、針の現在位置に相当する針位置時刻を更新して所定のメモリに記憶させ、さらに電波を介して新たに標準時刻が受信されたときには、現在時刻を標準時刻に修正した後、針位置時刻が現在時刻に合致するように時刻修正用パルス列の出力を調整して針位置を修正する通常運針時の動作制御手段と、検出手段によって竜頭の差し込み状態から引き抜き状態への変化が検出されることを条件として作動され、ステッピングモータに対するパルス列の供給を停止すると共に、メモリに記憶された針位置時刻を予め定められた初期位置時刻に強制的に変更する針位置時刻強制変更手段と、検出手段によって竜頭の引き抜き状態から差し込み状態への変化が検出されることを条件として作動され、時刻修正用パルス列をステッピングモータに与えて各針を運針させると共に、同時刻修正用パルス列をカウントすることにより、針の現在位置に相当する針位置時刻を生成する動作を、針位置時刻が現在時刻に達するまで継続させる手動時刻修正時の動作制御手段と、を具備する。
【０００９】
本発明の電波修正時計によれば、使用者は、竜頭を引き抜いて、指針を初期位置時刻に合わせ、再度竜頭を差し込むだけの操作で、現在時刻を意識することなく、針ズレを修正（針合わせ）することが可能となる。
【００１０】
本発明において、好ましくは、時計針セットには、時・分の各針に加えて、秒針が含まれており、かつ竜頭は、引き抜き状態においては、回転操作により、秒針は静止させたままで、時針と分針のみを手動で運針可能とされている。このような態様によれば、より一層、通常のアナログ時計と同等な感覚で針合わせを行うことが可能となる。
【００１１】
また、本発明において、好ましくは、予め定められた初期位置時刻が『００時００分００秒』とされる。このような態様によれば、指針を前進させるだけの動作で現時刻に修正することが可能となる。また、使用者が初期位置時刻を忘れることもなくなり、確実に針ズレを修正（針合わせ）することが可能となる。
【発明の効果】
【００１２】
以上の説明で明らかなように、本発明によれば、使用者がそのときの正確な時刻を意識することなく、通常のアナログ時計と同等な感覚で針合わせを可能としたアナログ式電波修正時計を提供することができる。
【発明を実施するための最良の形態】
【００１３】
以下に、本発明に係るアナログ式電波修正時計の好適な実施の一形態を添付図面を参照しつつ詳細に説明する。尚、以下の実施の形態は本発明の一例を示すものに過ぎず、言うまでもなく、本発明の要旨は特許請求の範囲によってのみ規定されるものである。
【００１４】
先に説明したように、本発明のアナログ式電波修正時計は、時・分・秒の各針、又は時・分の各針を有する時計針セットと、時計針セットを構成する各針を回転させるための駆動源として機能するステッピングモータと、差し込み状態と引き抜き状態とを選択することができ、かつ引き抜き状態においては、回転操作により、時針と分針とを手動で運針可能な竜頭と、竜頭の抜き差し操作を検出するための検出手段と、竜頭の差し抜き操作状態に基づいて選択的に作動させることが可能な通常運針モードの動作と手動時刻修正モードの動作を有する。
【００１５】
通常運針モードの動作は、竜頭が差込状態にあることを条件として作動され、現在時刻のカウントに同期した計時用パルス列をステッピングモータに与えて各針を時刻に合わせて運針させると共に、同計時用パルス列をカウントすることにより、針の回転位置に相当する針位置時刻を随時更新して所定のメモリに記憶させ、さらに標準電波を介して受信された標準時刻に基づいて所定メモリに記憶された現在時刻を強制修正すると共に、その後得られる現在時刻とメモリに記憶された針位置時刻とに基づいて自動時刻修正を行う動作を含んでいる。
【００１６】
手動時刻修正モードの動作は、第１の動作と第２の動作とよりなる。第１の動作は、検出手段によって竜頭の差し込み状態から引き抜き状態への変化が検出されることを条件として作動され、ステッピングモータに対するパルス列の供給を停止すると共に、メモリに記憶された針位置時刻を予め定められた初期位置時刻に強制的に変更する動作を含んでいる。第２の動作は、検出手段によって竜頭の引き抜き状態から差し込み状態への変化が検出されることを条件として作動され、時刻修正用パルス列をステッピングモータに与えて各針を運針させると共に、同時刻修正用パルス列をカウントすることにより、針の現在位置に相当する針位置時刻を生成する動作を、針位置時刻が現在時刻に達するまで継続させる動作を含んでいる。
【００１７】
竜頭の操作状態の説明図が図１に示されている。同図に示される電波修正時計１は、電波修正腕時計として構成されている。図において２はベゼル、３は文字盤、４は時針、５は分針、６は秒針、７は竜頭をそれぞれ示している。この例では、時針４、分針５、および秒針６によって時計針セットが構成されている。
【００１８】
そして、同図（ａ）に示されるように、竜頭７の引き抜き状態時には、竜頭７の頭部が突出し、その回転軸が外部に露呈される。この状態では、ステッピングモータに対するパルス列の供給が停止されている。すなわち、秒針６は、竜頭７の引き抜き時の状態で停止されており、時針４及び分針５は、竜頭７の回転に合わせて文字盤３上を任意の方向に回転可能とされている。すなわち、竜頭７の引き抜き状態時には、通常のアナログ時計と同等の指針動作（針合わせ）が可能となる。
【００１９】
一方、同図（ｂ）に示されるように、竜頭７の差込状態時には、回転軸は時計内部に内装され、これにより竜頭７が回転しても指針の回転は抑止される。尚、この間には、後に詳細に説明するように、通常運針時には、ステッピングモータに対して計時用パルス列が供給され通常運針が行われる一方、竜頭７の引き抜き後の差込状態時には、時刻修正用のパルス列がステッピングモータに対して供給され、時刻修正のための運針が開始される。
【００２０】
本発明に係る電波修正時計１の電気的なハードウェア構成の全体を概略的に示すブロック図が図２に示されている。同図に示されるように、この電気的なハードウェア構成は、時計針セットを構成する各針４，５，６を回転させるための駆動源として機能するステッピングモータ１０と、時計全体を統括制御するためのマイクロコンピュータ（ＣＰＵ）１１と、標準電波を受信するための受信回路ＩＣ１７とを中心として構成されている。ＣＰＵ１１内には、２個のＣＭＯＳドライバ１２，１３が組み込まれている。ＣＭＯＳドライバ１２の出力端子Ｐ００にはモータ１０の一方の端子が、またＣＭＯＳドライバ１３の出力端子Ｐ０１にはモータ１０の出力端子の他方が接続される。１４はＣＰＵクロック用水晶である。
【００２１】
受信回路ＩＣ１７は、アンテナ１８において受信同調した受信信号を、フィルタ用水晶１９を含むバンドパスフィルタを通してフィルタリングし、さらにこれを周波数復調並びに検波することによって、標準時刻信号（ＴＣＯ信号）Ｓ１を出力する。こうして得られた標準時刻信号Ｓ１はＣＰＵ１１に取り込まれる。尚、受信回路ＯＮ／ＯＦＦ信号Ｓ２はＣＰＵ１１から受信回路ＩＣ１７の電源オンオフを制御するためのものである。この受信回路ＯＮ／ＯＦＦ信号Ｓ２の作用によって、受信回路ＩＣ１７における節電制御が行われる。尚、以上の基本回路の構成は種々の文献により既に公知であるから、詳細な説明は省略する。ＣＰＵ１１及び受信回路ＩＣ１７は、バッテリで構成された電源２０によって給電される。
【００２２】
ＳＷ２１は、ＣＰＵ１１と協働して、竜頭７の抜き差し状態を検出するための検出手段を構成する。具体的には、竜頭７の抜き差し状態とＳＷ２１のオン・オフ状態とが連動されており、竜頭７が引き抜き状態にあるとき、ＳＷ２１はオン、竜頭７が差し込み状態にあるときＳＷ２１はオフとなるように構成されている。ＣＰＵ１１は通電有無によりＳＷ２１のオン・オフ状態を判別する。
【００２３】
また、ＣＰＵ１１は、メモリ領域１（Ｍ１）とメモリ領域２（Ｍ２）とを含む内部メモリ１１０を有している。各メモリ領域には、それぞれ、随時更新が行われる針位置時刻並びに現在時刻とが書き込まれる。
【００２４】
ここで、ステッピングモータ１０と時計針セットを構成する時針４、分針５、秒針６の回転との関係を説明する。ステッピングモータは、特殊なものを除き、ロータは１パルスで１８０°回転する。また、回転方向は１方向に制限されている。この例では、時計針セットを構成する時針４、分針５、秒針６は１個のステッピングモータ１０により回転駆動される。ステッピングモータ１０に対して１個の駆動パルスが与えられると、秒針６が１秒の回転角度に相当する６°回転する。ステッピングモータ１０の動力は数枚のギヤを組み合わせることにより回転速度が変更される。すなわち、それらギヤのうち『時』の動きに相当するギヤには時針４が、『分』の動きに相当するギヤには分針５が、『秒』の動きに相当するギヤには秒針６が装着されている。このように、１個のステッピングモータ１０の動きを数枚のギヤを介して時針４、分針５、秒針６に伝え１パルスで秒針を１秒動かす方式を時計業界では『ステップ運針』と称している。
【００２５】
次に、ステッピングモータ１０に供給されるモータ駆動パルスの説明図が図３に示されている。この実施形態に係る電波腕時計にあっては、２種類のモータ駆動パルス列が用意されている。そのうち同図（ａ）に示されているものは通常運針用（計時用）のパルス列である。同図に示されるように、この計時用パルス列は、互いに１８０°の位相差を有する２相パルス列で構成されている。各相のパルス列に含まれるパルスとパルスとの間隔は２０００ｍｓとされ、個々のパルスの幅は３．９ｍｓとされている。そのため、第１相のパルスと第２相のパルスとの間隔は１０００ｍｓ（１秒）とされている。
【００２６】
同図（ｂ）に示されるものは、高速連続回転動作のために使用される時刻修正用パルス列である。このパルス列もまた、互いに１８０°の位相差を有する２相パルス列で構成されている。各相のパルス列に含まれるパルスとパルスとの間隔は２２．２ｍｓとされ、個々のパルスの幅は３．９ｍｓとされている。そのため、第１相のパルスと第２相のパルスとの間隔は１１．１ｍｓ（９０ｐｐｓ）とされている。
【００２７】
同図（ａ）に示される通常運針用パルス列を構成する２相パルス列の中で、第１相パルス列はＣＭＯＳドライバ１２の出力端子Ｐ００から出力され、２相パルス列はＣＭＯＳドライバ１３の端子Ｐ０１から出力される。同様にして、同図（ｂ）に示される高速連続回転用のパルス列を構成する第１相パルス列はＣＭＯＳドライバ１２の端子Ｐ００から出力され、第２相パルス列はＣＭＯＳドライバ１３の端子Ｐ０１から出力される。
【００２８】
図２に戻って、マイクロコンピュータ（ＣＰＵ）１１には、竜頭の差し抜き操作状態に基づいて選択的に作動させることが可能な通常運針モードの動作プログラムと手動時刻修正モードの動作プログラムとが組み込まれている。
【００２９】
通常運針モードの動作プログラムは、図３（ａ）に示される通常運針用パルス列をステッピングモータ１０に与えて各針４，５，６を時刻に合わせて運針させるものである。同時に、通常運針モードの動作プログラムは、同通常運針用パルス列をカウントすることにより、針の回転位置に相当する針位置時刻を随時生成（更新）してＣＰＵ１１の内部メモリ１１０（メモリ領域１）に記憶させると共に、標準電波を介して受信された標準時刻に基づいて現在時刻を随時生成（更新）してＣＰＵ１１の内部メモリ（メモリ領域２）に記憶させ、さらに現在時刻と針位置時刻とに基づいて自動時刻修正を行うように仕組まれている。
【００３０】
次に、手動時刻修正モードの動作プログラムは、検出手段によって竜頭の差し込み状態から引き抜き状態への変化が検出されることを条件として作動され、ステッピングモータに対するパルス列の供給を停止すると共に、メモリに記憶された針位置時刻を予め定められた初期位置時刻に強制的に変更する第１の動作と、検出手段によって竜頭の引き抜き状態から差し込み状態への変化が検出されることを条件として作動され、図３（ｂ）に示される時刻修正用パルス列をステッピングモータに与えて各針を運針させると共に、同時刻修正用パルス列をカウントすることにより、針の現在位置に相当する針位置時刻を生成する動作を、針位置時刻が現在時刻に達するまで継続させる第２の動作とを行うように仕組まれている。
【００３１】
次に、本実施形態の電波修正時計の処理全体を示すフローチャートが図４に示されている。
【００３２】
図４（ａ）に示されるように、ＣＰＵ１１は、常時、ＳＷ２１の状態を読み込み（ステップ４０１）、竜頭７の差し抜きの状態変化を検出している（ステップ４０２）。一方で、同図（ｂ）に示されるように、Ｔ時間毎にタイマ割込処理が行われる。タイマ割込処理では、時刻標準電波を受信する処理（ステップ４１１）と、メモリ１１０に書き込まれた現在時刻を受信された標準時刻に強制的に書き換える処理（ステップ４１２）とが実行される。
【００３３】
ここでは先ず、通常時の動作制御処理について説明する。通常時の動作制御処理（ステップ４０４）は、竜頭７が差込状態にあることを条件として（ステップ４０２ＮＯ，ステップ４０３“差し込み”）作動される。
【００３４】
通常時の動作制御処理の詳細が図５のフローチャートにより示されている。同図に示されるように、通常時の動作制御処理では、先ず、ステッピングモータ１０に、図３（ａ）に示した計時用パルスが１つ分送出される（ステップ５０１）。これとほぼ並行して、メモリ１１０内の針位置時刻と標準時刻とが１秒進んだ値に更新される。（ステップ５０２）。これらステップ５０１〜５０２の動作は、計時パルス周期（この例では１０００ｍｓｅｃ）経過毎（ステップ５０４ＹＥＳ）に、時刻自動修正要求が到来するまで（ステップ５０３ＹＥＳ）の間繰り返し実行される。
【００３５】
時刻自動修正要求は、図４（ｂ）に示したように、Ｔ時間毎の割込処理完了後の針位置時刻と現在時刻との比較の結果、ズレが認められた場合に到来する（ステップ５０３ＹＥＳ）。時刻自動修正要求が到来すると、自動時刻修正処理（ステップ５０５）が実行される。
【００３６】
自動時刻修正処理の詳細が図６のフローチャートにより示されている。同フローチャートに示されるように、自動時刻修正処理では、先ず、メモリ領域１から現在の針位置時刻が取得され（ステップ６０１）、次いで、メモリ領域２から現在時刻データが取得される（ステップ６０２）。尚、同フローチャートから理解されるように、本実施形態の自動時刻修正処理は、ステップ６０１で取得された針位置時刻とステップ６０２で取得された現在時刻との誤差がＮ秒以内のとき（ステップ６０３ＹＥＳ）のみ行われる。誤差がＮ秒を超えるとき（ステップ６０３ＮＯ）には、より高速で時刻修正するための別途の処理が行われる。この技術については、他の文献等により周知であるのでここでの詳細説明は省略する。
【００３７】
ステップ６０１で取得された針位置時刻とステップ６０２で取得された現在時刻との誤差がＮ秒以内であるときには（ステップ６０３ＹＥＳ）、次いで、誤差方向が判定される。すなわち、ここでは、針位置が現在時刻よりも進んだ位置にあるか（ステップ６０４“針進み”）、針位置が現在時刻よりも遅れた位置にあるか（ステップ６０４“針遅れ”）が判定される。
【００３８】
ステップ６０４において“針進み”と判定された場合には（ステップ６０４“針進み”）、ＣＰＵ１１からステッピングモータ１０に対しての計時用パルス（図４（ａ）参照）の送出が一時停止される（ステップ６０５）。一方で、計時用パルスに基づく現在時刻の更新は継続して行われる（ステップ６０６）。ステップ６０６の処理は、針位置時刻と現在時刻とが等しくなるまで繰り返し実行される。針位置時刻と現在時刻とが等しくなると（ステップ６０７ＹＥＳ）、処理は一旦終了される。
【００３９】
一方、ステップ６０４において“針遅れ”と判定された場合には（ステップ６０４“針遅れ”）、ＣＰＵ１１からステッピングモータ１０に対して図３（ｂ）で示した時刻修正用パルスが送出される（ステップ６０８）。同時に、修正用パルスに基づく針位置時刻の歩進も行われる（ステップ６０９）。ステップ６０８、６０９の処理は、針位置時刻と現在時刻とが等しくなるまで繰り返し実行される。針位置時刻と現在時刻とが等しくなると（ステップ６１０ＹＥＳ）、処理は一旦終了される。
【００４０】
以上が通常時の動作制御処理（ステップ４０４）である。次に、手動時刻修正時の動作制御処理について説明する。図４に戻り、手動時刻修正時の動作制御処理（ステップ４０５）は、竜頭７の状態が変化したことを条件として（ステップ４０２ＹＥＳ）作動される。
【００４１】
手動時刻修正時の動作制御処理の詳細が図７のフローチャートにより示されている。同フローチャートに示されるように、手動時刻修正時の動作制御処理では、先ず、竜頭７の変化方向が判定される（ステップ７０１）。すなわち、竜頭７が「差し込み」状態から「引き抜き」状態へと変化したと判定された場合には（ステップ７０１「差し込み」→「引き抜き」）、ステッピングモータ１０に対する計時用パルスの送出が停止され（ステップ７０２）、これにより指針動作が停止されると共に、針位置時刻が「００時００分００秒」（本実施形態における初期位置時刻）に強制変更され（ステップ７０３）、処理は一旦終了される。この引き抜き状態が継続されている間は、図４のフローチャートのステップ４０６の状態に相当する（ステップ４０２ＮＯ，ステップ４０３「引き抜き」）。この間に、使用者は、竜頭７を操作して指針位置を「００時００分００秒」に合わせる。そして、竜頭７を再度「差し込み」状態にする。この状態は、図７のフローチャートのステップ７０１「引き抜き」→「差し込み」に相当する。竜頭７が「引き抜き」状態から「差し込み」状態へと変化された場合には、自動時刻合わせ処理が実行される（ステップ７０４）。
【００４２】
自動時刻合わせ処理の詳細が図８のフローチャートにより示されている。自動時刻合わせ処理では、先ず、針位置時刻が取得され（ステップ８０１）、次いで、現在時刻が取得される（ステップ８０２）。
【００４３】
次いで、針位置時刻と標準時刻とが一致するまでの間、図３（ｂ）に示した修正用パルスがステッピングモータ１０に継続して与えられるとともに（ステップ８０３）、同修正用パルスに基づく針位置時刻の更新（ステップ８０４）が継続して行われる。
【００４４】
上記動作を経て、針位置時刻と現在時刻とが一致すると、修正用パルスの送出は停止され（ステップ８０６）、これにより処理は一旦終了する。
【００４５】
上述の動作プログラムを介して実行される本発明の作用説明図（その１）が図９に示されている。同図（ａ）は時刻修正前の電波修正時計の様子を示している。この例では、「１０時１０分３５秒」を示している。同図（ｂ）は竜頭７が引き抜かれた時の様子を示している。この例では、「１０時１０分００秒」に竜頭７が引き抜かれている。尚、本実施形態では、初期位置時刻が「００時００分００秒」であり、また、竜頭７の引き抜き時には秒針を動かせないため、秒針６については、００秒の位置にあるときに、引き抜き動作を行う必要がある。同図（ｃ）は、竜頭７を操作して指針を「００時００分００秒」の位置に合わせた状態を示している。
【００４６】
図９（ｃ）の状態で、竜頭７を差し込むと、図８のフローチャートで示した自動時刻合わせ処理が実行される。
【００４７】
図１０（ａ）は、竜頭７の差し込み直後の電波修正時計の様子を示している。この時点では、先に説明したように、図３（ｂ）に示した修正用パルスがステッピングモータ１０に継続して与えられるとともに（ステップ８０３）、同修正用パルスに基づいて針位置時刻の更新（ステップ８０４）が継続して行われている。同図（ｂ）は、針位置時刻と現在時刻とが合致し、時刻修正処理が完了した時点の様子を示している。この例で、針位置時刻と現在時刻とが「１０時６分２８秒」で合致した場合の例である。
【００４８】
以上の説明で明らかなように、本実施形態の電波修正時計によれば、竜頭７を引き抜いて、指針を初期位置時刻に合わせ、再度竜頭７を差し込むだけの操作で、現在時刻を使用者が意識することなく、針ズレを修正（針合わせ）することが可能となる。
【００４９】
尚、上記実施の形態では、指針の初期位置を「００時００分００秒」としたが、これに限られることなく、自由に設定可能である。もっとも、このような態様とすれば、指針を前進させるだけの動作で現時刻に修正することが可能となり、また、使用者が初期位置時刻を忘れることもなくなり、確実に針ズレを修正（針合わせ）することが可能となる。
【００５０】
また、上記実施の形態では、竜頭が差し込み状態から引き抜き状態へと変化したことが検出されたことを条件として針位置時刻を所定時刻に強制修正するものとしたが、強制修正のタイミングは、竜頭が引き抜き状態から差し込み状態へと変化したときに行うようにしてもよい。
【図面の簡単な説明】
【００５１】
【図１】本実施形態の電波修正時計における竜頭の操作状態の説明図である。
【図２】電波修正時計の電気的なハードウェア構成の全体を概略的に示すブロック図である。
【図３】ステッピングモータの駆動パルスの説明図である。
【図４】本実施形態の電波修正時計における処理全体を示すフローチャートである。
【図５】通常時の動作制御処理の詳細を示すフローチャートである。
【図６】自動時刻修正処理の詳細を示すフローチャートである。
【図７】手動時刻修正時の動作制御処理の詳細を示すフローチャートである。
【図８】自動時刻合わせ処理の詳細を示すフローチャートである。
【図９】本実施形態の電波修正時計における作用説明図（その１）である。
【図１０】本実施形態の電波修正時計における作用説明図（その２）である。
【符号の説明】
【００５２】
１    電波修正時計
２    ベゼル
３    文字盤
４    時針
５    分針
６    秒針
７    竜頭
１０    ステッピングモータ
１１    マイクロコンピュータ（ＣＰＵ）
１２，１３    ＣＭＯＳドライバ
１４    ＣＰＵクロック用水晶
１７    受信回路ＩＣ
１８    アンテナ
１９    フィルタ用水晶
２０    電源
２１    スイッチ
【図１】
2005134260.tif 000003
【図２】
2005134260.tif 000004
【図３】
2005134260.tif 000005
【図４】
2005134260.tif 000006
【図５】
2005134260.tif 000007
【図６】
2005134260.tif 000008
【図７】
2005134260.tif 000009
【図８】
2005134260.tif 000010
【図９】
2005134260.tif 000011
【図１０】
2005134260.tif 000012